(57)【要約】【課題】  互いに、重ねて設けられるミラーにより、フォーカシングの機能を達成し、また、光学的な特別な効果が実現されるイメージセンサーを提供する。【解決手段】本考案は、ベースがあり、当該ベースの二つの端面には、それぞれ、第１のミラーと、検知器とが設置され、当該ベース上には、第１のミラーと検知器との間に設置されるチャンネルがあり、当該第１のミラー上には、第２のミラーが重ねて設けられるイメージセンサーである。【選択図】  図１
0003104783.tif 000002
【実用新案登録請求の範囲】
【請求項１】
両端面には、それぞれ第１の支持部と第２の支持部と第３の支持部とがあり、また、当該第１、第２の支持部を貫通するチャンネルがあるベースと
上記ベースの第１の支持部上に設置される第１のミラーと、
上記第３の支持部上に重ねて設けられる第２のミラーと、
上記ベースの第２の支持部上に設置される検知器とを有することを特徴とするイメージセンサー。
【請求項２】
当該ベースには、第１の支持部の近くにある端面上に金属線接続層があり、また、当該金属線接続層上には、直接に回路板（PCB）が設置され、また、当該回路板は、第２のミラーの外縁に環状に設けられることを特徴とする請求項１記載のイメージセンサー。
【請求項３】
当該第１のミラーは、拡大可能の保護ガラスであることを特徴とする請求項１記載のイメージセンサー。
【請求項４】
当該第２のミラーは、レンズとして適用できるガラスで、また、特別な機能を有する拡大鏡であることを特徴とする請求項１記載のイメージセンサー。
【請求項５】
当該第２のミラー上には、第３のミラーが重ねて設けられることを特徴とする請求項１記載のイメージセンサー。
【請求項６】
当該第３のミラーは、フレネル型(fresnel)レンズである、ことを特徴とする、請求項５記載のイメージセンサー。
【請求項７】
当該第３のミラーは、反射防止層であることを特徴とする請求項５記載のイメージセンサー。
【請求項８】
当該第３のミラーは、拡大ミラーであることを特徴とする請求項５記載のイメージセンサー。
【請求項９】
当該検知器は、CCDであることを特徴とする請求項１記載のイメージセンサー。
【請求項１０】
当該検知器は、CMOSであることを特徴とする請求項１記載のイメージセンサー。
【請求項１１】
回路板と
両端面にそれぞれ、第１の支持部と第２の支持部と第３の支持部とがあり、また、第１、第２の支持部を貫通するチャンネルがあるベースと、
上記ベースの第１の支持部上に設置される第１のミラーと、
上記第３の支持部上に重ねて設けられる第２のミラーと、
回路板上に重ねて設けられる第３のミラーと、
上記ベースの第２の支持部上に設置される検知器と、を有することを特徴とするイメージセンサー。
【請求項１２】
当該ベースには、第１の支持部の近くにある端面上に金属線接続層があり、また、当該金属線接続層上には直接に回路板（PCB）が設置され、また、当該回路板は第２のミラーの外縁に環状に設けられることを特徴とする請求項１１記載のイメージセンサー。
【請求項１３】
当該第１のミラーは、拡大可能の保護ガラスであることを特徴とする請求項１１記載のイメージセンサー。
【請求項１４】
当該第２のミラーは、レンズとして適用できるガラスで、また、特別な機能を有する拡大鏡であることを特徴とする請求項１１記載のイメージセンサー。
【請求項１５】
当該第３のミラーは、フレネル型(fresnel)レンズであることを特徴とする請求項１１記載のイメージセンサー。
【請求項１６】
当該第３のミラーは反射防止層であることを特徴とする請求項１１記載のイメージセンサー。
【請求項１７】
当該第３のミラーは拡大ミラーであることを特徴とする請求項１１記載のイメージセンサー。
【請求項１８】
当該検知器はCCDであることを特徴とする請求項１１記載のイメージセンサー。
【請求項１９】
当該検知器はCMOSであることを特徴とする請求項１１記載のイメージセンサー。
【考案の詳細な説明】
【技術分野】
【０００１】
本考案は、イメージセンサーに関し、特に、フォーカシングの機能を有し、光学的な特別な効果が実現できる、イメージセンサーに関する。
【背景技術】
【０００２】
従来のイメージセンサーは、図５のように、基座３０があり、当該基座３０には凹槽３１があり、当該凹槽３１内には検知器３２が設置され、当該検知器３２にはワイヤボンディング３３により凹槽３１の壁面が接続され、また、当該凹槽３１の端面を覆うようにガラス層３４が設けられ、これによりイメージセンサーが形成される。
【０００３】
また、もう一つの、従来のイメージセンサーは、図６のように、基座４０があり、当該基座４０には開口４１があり、当該開口４１内には環状に凸縁４２が設けられ、ガラスカーバ板４３は当該凸縁４２の上端面を封止するように設けられ、検知器４４は凸縁４２の下端面に設置される。
【０００４】
しかしながら、上記の2種類のイメージセンサーは画像検知用に適用されるが、2種類のイメージセンサーはガラス層３４（ガラスカーバ板４３）だけで検知器を保護しかつ光源を濾過するので、そのため、画像を捕獲する時、いかの特別な効果を有しないので、当該イメージセンサーにより、捕獲された画像が変化に乏しいので、故に、一般的な従来のものはユーザーの需要を満足できな
【０００５】
また、上記イメージセンサーは、以下のフォーカシング機能を変化する効果がないので、当該イメージセンサーにより、捕獲された画像が変化に乏しい。
【考案の開示】
【考案が解決しようとする課題】
【０００６】
本考案の目的は、互いに重ねて設けられるミラーにより、光学的な特別な効果が実現できる、イメージセンサーを提供する。
【０００７】
本考案のもう一つの目的は、互いに重ねて設けられるのミラーにより、フォーカシング機能を変化する効果が実現できる、イメージセンサーを提供する。
【課題を解決するための手段】
【０００８】
請求項１に記載の本考案は、両端面には、それぞれ第１の支持部と第２の支持部と第３の支持部とがあり、また、当該第１、第２の支持部を貫通するチャンネルがあるベースと
上記ベースの第１の支持部上に設置される第１のミラーと、
上記第３の支持部上に重ねて設けられる第２のミラーと、
上記ベースの第２の支持部上に設置される検知器とを有することを特徴とするイメージセンサーである。
【０００９】
請求項１１に記載の本考案は、回路板と
両端面にそれぞれ、第１の支持部と第２の支持部と第３の支持部とがあり、また、第１、第２の支持部を貫通するチャンネルがあるベースと、
上記ベースの第１の支持部上に設置される第１のミラーと、
上記第３の支持部上に重ねて設けられる第２のミラーと、
回路板上に重ねて設けられる第３のミラーと、
上記ベースの第２の支持部上に設置される検知器と、を有することを特徴とするイメージセンサーである。
【考案の効果】
【００１０】
本考案により、当該イメージセンサーは、他に外部の回路を配置しないため、回路空間を節約する効果が達成される。
また、本考案により、異なるミラーとの組合せとにより、余計にレンズを購入しない状況下で、必要とする、例えば、被写界深度の設計や広角の設計である、異なる光学的な特別な効果が達成される。
【考案を実施するための最良の形態】
【００１１】
図１、２は、本考案の第１の實施例の断面状態の組合せ図で、本考案の第１の實施例の断面状態の分解図である。図のように、本考案は、ベース１０と、第１のミラー１１と、第２のミラー１２と、検知器１３とからなるイメージセンサーである。
【００１２】
上記のベース１０は、両端面に、それぞれ、第１の支持部０１と第２の支持部１０２と第３の支持部１０１１とがあり、また、当該ベース１０上には、当該第１、第２の支持部１０１、１０２を貫通するチャンネル１０３があり、当該ベース１０には、第１の支持部１０１の近くにある端面上に、金属線接続層１０４がある。また、当該金属線接続層１０４上には、直接に、回路板１０５（PCB）が設置され、これにより、当該画像検知器の必要する回路が、ここで、互いに接続され、回路空間を節約する効果が達成される。
【００１３】
当該第１のミラー１１は上記ベース１０の第１の支持部１０１上に設置され、当該第１のミラー１１は拡大可能の保護ガラスであり、
当該第２のミラー１２は第３の支持部１０１１上に重ねて設けられ、また、当該回路板１０５は第２のミラー１２の外縁に環状に設けられ、また、当該第２のミラー１２はレンズとして適用できるガラスで、また、特別の機能を有する拡大鏡である。
【００１４】
当該検知器１３は、上記ベース１０の第２の支持部１０２上に設置され、検知器１３がCCDやCMOSであり、これにより、上記の構造により構成された新しいイメージセンサーは、当該イメージセンサーが使用される時、当該互いに重ねて設けられる第１のミラー１１と第２のミラー１２とにより、フォーカシング機能が達成され、また、当該イメージセンサーは、第１のミラー１１と第２のミラー１２とにより、例えば、画像を局部拡大する光学的な特別な効果が実現される。
【００１５】
図３、４は、本考案の第２の實施例の断面状態の組合せ図で、本考案の第２の實施例の断面状態の分解図である。図のように、本考案は、ベース２０と第１のミラー２１と第２のミラー２２と第３のミラー２３と検知器２４とからなるイメージセンサーであり、同様に、上記互いに重ねて設けられるのミラーにより達成されるフォーカシング機能を有し、また、当該イメージセンサーは光学的な特別な効果が実現できる。
【００１６】
上記ベース２０は、両端面に、それぞれ、第１の支持部２０１と第２の支持部２０２と第３の支持部２０１１とがあり、また、当該ベース２０上には、当該第１、第２の支持部２０１、２０２を貫通するチャンネル２０３があり、当該ベース２０には、第１の支持部２０１の近くにある端面上に、金属線接続層２０４があり、また、当該金属線接続層２０４上には、直接に、回路板２０５（PCB）が設置され、これにより、当該イメージセンサーは、他に外部の回路を配置しないため、回路空間を節約する効果が達成される。
【００１７】
当該第１のミラー２１は、上記ベース２０の第１の支持部２０１上に設置され、当該第１のミラー２１は、拡大可能の保護ガラスである。
当該第２のミラー２２は、第３の支持部２０１１上に重ねて設けられ、また、当該回路板２０５は第２のミラー２２の外縁に、環状に設けられ、また、当該第２のミラー２２はレンズとして適用できるガラスで、また、特別の機能を有する拡大鏡である。、
【００１８】
当該第３のミラー２３は回路板２０５上に重ねて設けられ、また、当該第３のミラー２３はフレネル型(Fresnel)レンズや反射防止層或いは拡大ミラーである。
当該検知器２４は上記ベース２０の第２の支持部２０２上に設置され、検知器２４、CCDやCMOSであり、これにより、当該イメージセンサーが使用される時、当該互いに重ねて設けられる第１のミラー２１と第２のミラー２２と第３のミラー２３とにより、フォーカシング機能が達成され、また、当該イメージセンサーは、第１のミラー２１と第２のミラー２２と第３のミラー２３とにより、例えば、画像を局部拡大する光学的な特別な効果が実現され、また、以上の本考案の構造と、異なるミラーとの組合せとにより、余計にレンズを購入しない状況下で必要とする、例えば、被写界深度の設計や広角の設計である異なる光学的な特別な効果が達成される。
【００１９】
以上の説明は、ただ、本考案のよりよい実施例であり、本考案の実施範囲を制限するものではなく、また、本考案の実用新案登録請求の範囲や明細書内容に従って等価修正や変更も、本考案の請求範囲に含まれている。
【図面の簡単な説明】
【００２０】
【図１】本考案の第１の實施例の断面状態の組合せ図である。
【図２】本考案の第１の實施例の断面状態の分解図である。
【図３】本考案の第２の實施例の断面状態の組合せ図である。
【図４】本考案の第２の實施例の断面状態の分解図である。
【図５】従来の断面状態の組合せ図である。
【図６】もう一つの従来の断面状態の組合せ図である。
【符号の説明】
【００２１】
（本考案部分）
ベース  １０、２０
第１の支持部  １０１、２０１
第２の支持部  １０２、２０２
第３の支持部  １０１１、２０１１
チャンネル  １０３、２０３
金属線接続層  １０４、２０４
回路板  １０５、２０５
第１のミラー  １１、２１
第２のミラー  １２、２２
検知器  １３、２４
第３のミラー  ２３
（従来部分）
基座  ３０
凹槽  ３１
検知器  ３２
ワイヤボンディング  ３３
ガラス層  ３４
基座  ４０
開口  ４１
凸縁  ４２
ガラスカーバ板  ４３
検知器  ４４
【図６】
0003104783.tif 000003
【図１】
0003104783.tif 000004
【図２】
0003104783.tif 000005
【図３】
0003104783.tif 000006
【図４】
0003104783.tif 000007
【図５】
0003104783.tif 000008